【事件の表示】
　特願２０１０−５４９７００「アプリケーション・ページからのサービス・プレビュー及びアクセス」拒絶査定不服審判事件〔平成２１年　９月１１日国際公開、ＷＯ２００９／１１１１５２、平成２３年　５月２６日国内公表、特表２０１１−５１６９４２〕について、次のとおり審決する。
【結　論】
　本件審判の請求は、成り立たない。
【理　由】
第１．手続の経緯
　本願は、２００９年２月１３日（パリ条約による優先権主張外国庁受理２００８年３月５日、米国）を国際出願日とする出願であって、平成２４年１１月８日付けで拒絶理由通知がなされ、平成２５年１月２９日付けで手続補正がなされたが、同年２月１８日付けで拒絶査定がなされ、これに対し、同年６月１０日付けで拒絶査定不服審判の請求がされるとともに、同時に手続補正がなされたものである。
　
第２．平成２５年６月１０日付の手続補正についての補正却下の決定
　
［補正却下の決定の結論］
　　平成２５年６月１０日付の手続補正（以下、「本件補正」という。）を却下する。
　
［理由］
１．補正の目的
　本件補正は特許請求の範囲についてする補正を含み、平成２５年１月２９日付手続補正書の特許請求の範囲の補正前の請求項１を補正後の請求項１に、補正前の請求項２を補正後の請求項２に、補正前の請求項１１を補正後の請求項１１に、補正前の請求項１２を補正後の請求項１２に、補正前の請求項２１を補正後の請求項２１に、補正前の請求項２２を補正後の請求項２２に補正するものである。
　このうち、請求項１についてする補正は、
補正前の請求項１
　「【請求項１】
　アプリケーションにインストールされるウェブアクセス可能なサービスのメニューを、前記アプリケーション内のユーザー操作に基づいて提示するステップであって、前記ウェブアクセス可能なサービスのメニューは、前記アプリケーション内の前記ユーザー操作により選択された部分に関連するサービスとして発見された利用可能なサービスのリストを含み、前記サービスのうちの少なくともいくつかはそれぞれのウェブサイトに対応する、ステップと、
　ウェブアクセス可能なサービスの前記メニューに関するユーザー操作に応答して、前記アプリケーション内の前記ユーザー操作により選択された部分に対して行われた１つ以上のサービスにより提供される情報を含む、サービスのプレビューを表示するステップと
を含むコンピューターにより実行される方法。」
を、
補正後の請求項１
　「【請求項１】
　アプリケーションにインストールされるウェブアクセス可能なサービスのメニューを、前記アプリケーション内のユーザー操作に基づいて提示するステップであって、前記ウェブアクセス可能なサービスのメニューは、前記アプリケーション内の前記ユーザー操作により選択された部分に関連するサービスとして発見された
異なる
種類の
１つ
　ウェブアクセス可能なサービスの前記メニューに関するユーザー操作に応答して、前記アプリケーション内の前記ユーザー操作により選択された部分に対して行われた１つ以上のサービスにより提供される情報を含む、サービスのプレビューを表示するステップと
を含むコンピューターにより実行される方法。」
とするものである（補正部分を下線で示す。）。
　
　その補正内容のうちの、「利用可能なサービスのリスト」を「
異なる
種類の
　なお、補正前の請求項１に記載のあった発明を特定するために必要な事項である「サービスのうちの少なくともいくつか」を「サービスのうちの少なくとも
１つ
　
２．独立特許要件（特許法第１７条の２第６項）について
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
  
３．引用例の記載、引用例１記載の発明
（引用例１）
　原査定の拒絶の理由に引用された、本願の優先日前に頒布された刊行物である、国際公開第２００７／１４２４３０号（以下、「引用例１」という。）には、図面と共に以下の記載がある。
　
ａ）「As shown in FIG. 3, 
the keyword advertisement system 310 is connected to a plurality of terminals 330 through a network (wired/wireless networks including the Internet, wireless communication network, and future network) 320
キーワード広告システム３１０は、複数の端末３３０にネットワーク（インターネット、無線通信ネットワーク、そして将来のネットワークを含んでいる、有線／無線ネットワーク）３２０経由で接続され
　
ｂ）「The keyword advertisement system 310 can be a keyword-based advertisement system including a search preview function using a mouse right click, a keyword-based advertisement system including a link page preview function using a preview browser, or a keyword-based advertisement system including a search preview function and a link page preview function.
 First, regarding the keyword-based advertisement system 310 including a search preview function using a mouse right click according to an exemplary embodiment of the present invention, 
the user terminal 330 includes a preview module 400 (refer to FIG. 4) for adding a search preview function providing menu to the menu provided by the mouse right click
 In this instance, 
the preview module 400 can be downloaded to the user terminal 330 from the keyword advertisement system 310 through various paths and can be installed
 
The preview module 400
it adds a search preview function providing menu to the function menu displayed by the mouse right click menu, it performs a function for modifying the corresponding menu, and it performs a function for directly accessing a search result page of the search site for a word or sentence that is selected by the user by dragging or double-clicking the word or sentence by using a cursor through an installed preview-only browser
 The preview module 400 can display the search result by using the installed preview browser, and it can be configured to use the web browser installed in the user terminal 330. In this instance, the advertisement displayed to the preview browser can be displayed by allocating part of the browser as an advertisement space, and it can be configured to be displayed in the push advertisement format such as a popup advertisement, a popunder advertisement, or a mobile advertisement.」（第１０頁第９行〜第１１頁第１７行の記載。）（当審訳：キーワード広告システム310は、マウス右クリックを用いた検索プレビュー機能を含むキーワード・ベースの広告システム、プレビュー・ブラウザーを用いたリンク・ページ・プレビュー機能を含むキーワード・ベースの広告システム、または、検索プレビュー機能とリンク・ページ・プレビュー機能を含むキーワード・ベースの広告システムでありえる。
　最初に、この発明の典型的な実施例によれば、マウス右クリックを用いた検索プレビュー機能を含むキーワード・ベースの広告システム３１０に関し、
ユーザ端末３３０は、マウス右クリックにより提供されるメニューにメニューを提供している検索プレビュー機能を加えるためのプレビュー・モジュール４００（図４参照）を含み、インストールされたプレビュー・ブラウザーによって複数の検索サイトの検索結果を提供し、
　この例では、
プレビュー・モジュール４００はキーワード広告システム３１０からいろいろな経路経由でユーザ端末３３０にダウンロードされることができ、インストールされることができ、
　
プレビュー・モジュール４００は
メニューをマウス右クリック・メニューによって表示される機能メニューに提供している検索プレビュー機能を加え、それは対応するメニューを修正するために機能を実行し、そして、インストールされたプレビューのみのブラウザーによって、カーソルを用いて語または文をドラッグかダブルクリックすることによってユーザーによって選ばれる、語または文の検索サイトの検索結果ページに直接アクセスするために、それは機能を実行
　プレビュー・モジュール４００はインストールされたプレビュー・ブラウザーを用いて検索結果を示すことができ、そして、それはユーザ端末３３０にインストールされるウェブ・ブラウザを使用するように構成されることができる。
この例では、プレビュー・ブラウザーに表示される広告は、広告スペースとしてブラウザーの一部を割り当てることによって表示されることができ、そして、それはプッシュ広告フォーマット、例えば、ポップアップ広告、ポップアンダー広告、またはモバイル広告で示されるように構成されることができる。）
　
ｃ）「As shown in FIG. 6, the search preview function according to an exemplary embodiment of the present invention is performed. FIG. 6 shows a flowchart for performing a search preview function by using a mouse right click according to an exemplary embodiment of the present invention. FIG. 8 to FIG. 10 show screens for displaying a keyword advertisement method including a search preview function using a mouse right click according to an exemplary embodiment of the present invention.
 
When the preview module 400 is installed from the keyword advertisement system 310
according to the user request through the terminal 330 (S100), the preview module 400 adds a search preview function displaying menu to the mouse right click menu (S 110), and the user selects a word or sentence to be searched from among the web page contents on the Internet browser by using a cursor
(S120)
 As shown in FIG. 8 and FIG. 9, 
the preview module 400 controls to select a search preview menu from the mouse right click menu (S130)
the user may put the cursor on the desired search site name in the search preview menu (S140)
 
The preview module 400 senses the signal to open the preview browser (S150)
 connects to the search result page of the search site selected by the user corresponding to the search word or sentence selected by the user (S160)
 
When the user desires to preview a search result at another search site (S170)
puts the cursor on another search site in the search preview menu according to a user request (S180)
and the opened preview browser displays a search result page of the newly selected search site after returning to the step of S160
 However, when the user desires to view the search result of the selected search site through the web browser installed in the user terminal 300, the preview module 400 controls the user to click the corresponding search site in the search preview menu according to the user request as shown in FIG. 10 (S190), and the registered web browser installed in the user terminal is opened as shown in FIG. 10 (S200), and is connected to the search result page of the corresponding search site.」（第１６頁第１５行〜第１７頁第１８行の記載。）（当審訳：図６で示すように、この発明の典型的な実施例によれば、検索プレビュー機能は実行される。図６は、この発明の典型的な実施例による、マウス右クリックを用いて検索プレビュー機能を実行するためのフローチャートを表す。図８から図１０は、この発明の典型的な実施例による、マウス右クリックを用いた検索プレビュー機能を含むキーワード広告方法を表示するための画面を示す。
　
プレビュー・モジュール４００が、ユーザー要請によってキーワード広告システム３１０
から端末３３０経由でインストールされるとき（Ｓ１００）、プレビュー・モジュール４００は、マウス右クリック・メニューにメニューを表示する検索プレビュー機能を加え（Ｓ１１０）、そして、ユーザーは、
カーソルを用いてインターネット・ブラウザーでウェブ・ページ・コンテンツの中から検索される語または文を選択
（Ｓ１２０）
　図８と図９に示すように、
プレビュー・モジュール４００は、マウス右クリック・メニューから検索プレビュー・メニューを選択するように制御し（Ｓ１３０）、
ユーザーは、検索プレビュー・メニュー中の所望の検索サイト名の上にカーソルを置く（Ｓ１４０）
　図８に示すように、
プレビュー・モジュール４００は、プレビュー・ブラウザーをオープンするための信号を検知し（Ｓ１５０）、
ユーザーにより選択された検索語や文と一致している、ユーザーにより選択された検索サイトの検索結果ページに接続する（Ｓ１６０）
　
ユーザーが他の検索サイトでの検索結果をプレビューすることを望むとき（Ｓ１７０）、
ユーザーのリクエストによって、検索プレビュー・メニュー中の他の検索サイト上にカーソルを置き（Ｓ１８０）、そして、開かれたプレビュー・ブラウザーは、Ｓ１６０のステップに戻った後、新しく選ばれた検索サイトの検索結果ページを表示する
　しかし、ユーザーが、ユーザ端末３００にインストールされているウェブ・ブラウザによって、選択された検索サイトの検索結果を見ることを望むとき、図１０に示すように、プレビュー・モジュール４００は、ユーザーのリクエストによって、検索プレビュー・メニュー中の対応する検索サイトをクリックするようにユーザーをコントロールし（Ｓ１９０）、そして、ユーザ端末にインストールされている登録されたウェブ・ブラウザは、図１０に示すようにオープンされ（Ｓ２００）、そして、対応する検索サイトの検索結果ページに接続される。）
　
ｄ）「As shown in FIG. 7, the user terminal 330 installs a preview module 400 from the keyword advertisement system 310 or the predetermined cooperated site servers 340-1 to 340-p according to the user request (S100).
 The preview module 400 adds a search preview function displaying menu to the mouse right click menu (S110), and selects a word or sentence desired by the user from among the web page contents on the Internet browser by using the cursor as shown in FIG. 8 (S120).
 Accordingly, the preview module 400 controls the user to select the search preview menu by using the mouse right click (S130) as shown in FIG. 8 and FIG. 9, puts the cursor on the search site in the search preview menu (S140) as shown in FIG. 8, and when/before/after the preview browser is opened as shown in FIG. 8 (S150), the preview module 400 controls the user to be connected to the search result page of the search site selected by the user corresponding to the search word or sentence selected by the user as shown in FIG. 8 and FIG. 9 (S160).」（第１７頁第２６行〜第１８頁第１０行の記載。）（当審訳：図７に示すように、ユーザ端末３３０は、ユーザーのリクエストによって、キーワード広告システム３１０または予め定められた協力サイト・サーバー３４０−１乃至３４０−ｐからプレビュー・モジュール４００をインストールする（Ｓ１００）。
　プレビュー・モジュール４００は、メニューをマウス右クリック・メニューに表示する検索プレビュー機能を加え（Ｓ１１０）、そして、図８に示すように、カーソルを用いてインターネット・ブラウザーでウェブ・ページ・コンテンツの中からユーザーによって所望される語または文を選択する（Ｓ１２０）。
　したがって、図８および図９に示すように、プレビュー・モジュール４００は、マウス右クリックを用いて検索プレビュー・メニューを選ぶためにユーザーをコントロールし（Ｓ１３０）、図８に示すように、検索プレビュー・メニュー中の検索サイト上にカーソルを置き（Ｓ１４０）、そして、図８に示すように、プレビュー・ブラウザーが開けられた時／開けられる前／開けられた後（Ｓ１５０）、プレビュー・モジュール４００は、図８および図９に示すように、ユーザーによって選択された検索語または文と一致している、ユーザーによって選択された検索サイトの検索結果ページに接続されるようにユーザーをコントロールする（Ｓ１６０）。）
　
ｅ）図８には、「Ｐｒｅｖｉｅｗ　ｓｅａｒｃｈ」の下位メニューとして「Ｎａｖｅｒ」「Ｇｏｏｇｌｅ」「Ｄａｕｍ」」「Ｙａｈｏｏ」「Ｅｍｐａｓ」「Ｐａｅａｎ」がリスト状に表示される、すなわち、
検索プレビュー・メニュー中にリスト状に複数の検索サイト名を表示
　
（引用例１記載の発明）
　してみると、引用例１には次の発明（以下、「引用例１記載の発明」という。）が記載されている。
　「キーワード広告システム３１０は、複数の端末３３０にネットワーク（インターネット、無線通信ネットワーク、そして将来のネットワークを含んでいる、有線／無線ネットワーク）３２０経由で接続され、
　ユーザ端末３３０は、マウス右クリックにより提供されるメニューにメニューを提供している検索プレビュー機能を加えるためのプレビュー・モジュール４００を含み、インストールされたプレビュー・ブラウザーによって複数の検索サイトの検索結果を提供し、
　プレビュー・モジュール４００はキーワード広告システム３１０からいろいろな経路経由でユーザ端末３３０にダウンロードされることができ、インストールされることができ、
　プレビュー・モジュール４００は、メニューをマウス右クリック・メニューによって表示される機能メニューに提供している検索プレビュー機能を加え、それは対応するメニューを修正するために機能を実行し、そして、インストールされたプレビューのみのブラウザーによって、カーソルを用いて語または文をドラッグかダブルクリックすることによってユーザーによって選ばれる、語または文の検索サイトの検索結果ページに直接アクセスするために、それは機能を実行されるものであり、
　プレビュー・モジュール４００が、ユーザー要請によってキーワード広告システム３１０から端末３３０経由でインストールされるとき（Ｓ１００）、
　プレビュー・モジュール４００は、マウス右クリック・メニューにメニューを表示する検索プレビュー機能を加え（Ｓ１１０）、
　そして、ユーザーは、カーソルを用いてインターネット・ブラウザーでウェブ・ページ・コンテンツの中から検索される語または文を選択（Ｓ１２０）し、
　プレビュー・モジュール４００は、マウス右クリック・メニューから検索プレビュー・メニューを選択するように制御し（Ｓ１３０）、
　ユーザーは、検索プレビュー・メニュー中にリスト状に複数の検索サイト名が表示された中の所望の検索サイト名の上にカーソルを置き、
　プレビュー・モジュール４００は、プレビュー・ブラウザーをオープンするための信号を検知し（Ｓ１５０）、
　ユーザーにより選択された検索語や文と一致している、ユーザーにより選択された検索サイトの検索結果ページに接続（Ｓ１６０）し、
　ユーザーが他の検索サイトでの検索結果をプレビューすることを望むとき（Ｓ１７０）、
　ユーザーのリクエストによって、検索プレビュー・メニュー中の他の検索サイト上にカーソルを置き（Ｓ１８０）、そして、開かれたプレビュー・ブラウザーは、Ｓ１６０のステップに戻った後、新しく選ばれた検索サイトの検索結果ページを表示する方法。」
　
４．対比、一致点、相違点
　そこで、本願補正発明と引用例１記載の発明とを対比する。
　
あ）「アプリケーションにインストールされるウェブアクセス可能なサービスのメニューを、前記アプリケーション内のユーザー操作に基づいて提示するステップであって、」について
　
　引用例１記載の発明では、「ユーザーは、カーソルを用いてインターネット・ブラウザーでウェブ・ページ・コンテンツの中から検索される語または文を選択（Ｓ１２０）し、」「マウス右クリック・メニューから検索プレビュー・メニューを選択するように制御し（Ｓ１３０）」ているから、引用例１記載の発明では、「インターネット・ブラウザー」上でユーザーが「語または文を選択」した後「マウス右クリック」した場合に、「マウス右クリック・メニュー」に「検索プレビュー・メニュー」が表示されることは明らかである。
　そして、該「検索プレビュー・メニュー」は、「インターネット・ブラウザー」上での「マウス右クリック」により表示されるものであるから、「インターネット・ブラウザー」にインストールされるサービスのメニューであり、「インターネット・ブラウザー」内のユーザーの操作に基づいて提示されるものといえる。
　また、「インターネット・ブラウザー」はアプリケーションの１種である。
　さらに、引用例１記載の発明は「ユーザーは、検索プレビュー・メニュー中の所望の検索サイト名の上にカーソルを置」いた場合、「ユーザーにより選択された検索語や文と一致している、ユーザーにより選択された検索サイトの検索結果ページに接続する（Ｓ１６０）」ものであるから、該「検索プレビュー・メニュー」は、ウェブアクセス可能なサービスのメニューといえる。
　したがって、引用例１記載の発明において「検索プレビュー・メニュー」が表示されることは、引用例１記載の発明が、本願補正発明の「アプリケーションにインストールされるウェブアクセス可能なサービスのメニューを、前記アプリケーション内のユーザー操作に基づいて提示するステップ」に相当するステップを有していることを意味する。
　
い）「前記ウェブアクセス可能なサービスのメニューは、前記アプリケーション内の前記ユーザー操作により選択された部分に関連するサービスとして発見された異なる利用可能なサービスの種類のリストを含み、前記サービスのうちの少なくとも１つはそれぞれのウェブサイトに対応する」について
　
　引用例１記載の発明は、「ユーザー」が「検索プレビュー・メニュー中にリスト状に複数の検索サイト名が表示された中の所望の検索サイト名の上にカーソルを置」くと、「ユーザーにより選択された検索語や文と一致している、ユーザーにより選択された検索サイトの検索結果ページに接続」するものであるから、引用例１記載の発明の「検索プレビュー・メニュー」は、「ユーザーにより選択された検索語や文」に関連する検索として利用可能な「検索サイト名」のリストを含むものである。
　そして、上記あ）に述べたように、「検索プレビュー・メニュー」は、ウェブアクセス可能なサービスのメニューといえ、また、「インターネット・ブラウザーでウェブ・ページ・コンテンツの中から検索される語または文を選択」したものである「ユーザーにより選択された検索語や文」に関連する検索は、アプリケーション内のユーザー操作により選択された部分に関連するサービスといえ、「検索サイト名のリスト」は、サービスのリストといえるから、引用例１記載の発明の「検索プレビュー・メニュー」が、「ユーザーにより選択された検索語や文」に関連する検索として利用可能な「検索サイト名」のリストを含むことは、「ウェブアクセス可能なサービスのメニュー」が、「前記アプリケーション内の前記ユーザー操作により選択された部分」に関連するサービスとして利用可能な「サービス」のリストを含むことであるといい得る。
　さらに、引用例１記載の発明は、「ユーザーにより選択された検索語や文と一致している、ユーザーにより選択された検索サイトの検索結果ページに接続」するものであるから、サービスのうちの少なくとも１つはそれぞれのウェブサイトに対応するといい得る。
　したがって、引用例１記載の発明において、「ユーザー」が「検索プレビュー・メニュー中にリスト状に複数の検索サイト名が表示された中の所望の検索サイト名の上にカーソルを置」くと、「ユーザーにより選択された検索語や文と一致している、ユーザーにより選択された検索サイトの検索結果ページに接続」するものとされていることは、引用例１記載の発明が、本願補正発明の「前記ウェブアクセス可能なサービスのメニューは、前記アプリケーション内の前記ユーザー操作により選択された部分に関連するサービスとして発見された異なる利用可能なサービスの種類のリストを含み、前記サービスのうちの少なくとも１つはそれぞれのウェブサイトに対応する」と「前記ウェブアクセス可能なサービスのメニューは、前記アプリケーション内の前記ユーザー操作により選択された部分に関連するサービスとして利用可能なサービスのリストを含み、前記サービスのうちの少なくとも１つはそれぞれのウェブサイトに対応する」の点で共通する構成を有するものであることを意味する。
　もっとも、引用例１記載の発明では、「リスト」が上記のとおり「検索サイト名」であり、「異なる利用可能なサービスの種類のリスト」ではなく、また、引用例１記載の発明は、「ユーザーにより選択された検索語や文」に関連する検索を行うための検索サイトをリスト状に表示したメニューではあるものの、「ユーザー操作により選択された部分に関連するサービスとして発見された」サービスのリストとはされておらず、この点、本願補正発明と相違する。
　
う）「ウェブアクセス可能なサービスの前記メニューに関するユーザー操作に応答して、前記アプリケーション内の前記ユーザー操作により選択された部分に対して行われた１つ以上のサービスにより提供される情報を含む、サービスのプレビューを表示するステップ」について
　
　引用例１記載の発明は、「ユーザー」が、「検索プレビュー・メニュー中にリスト状に複数の検索サイト名が表示された中の所望の検索サイト名の上にカーソルを置」くと、「ユーザーにより選択された検索語や文と一致している、ユーザーにより選択された検索サイトの検索結果ページに接続」し、「開かれたプレビュー・ブラウザーは、」「検索サイトの検索結果ページを表示する」ものである。
　ここで、上記あ）で述べたように、引用例１記載の発明の「検索プレビュー・メニュー」は、ウェブアクセス可能なサービスのメニューといえるから、ユーザーが「検索サイト名の上にカーソルを置」くことは、ウェブアクセス可能なサービスの前記メニューに関するユーザー操作といえる。
　また、引用例１記載の発明の「ユーザーにより選択された検索語や文」は「インターネット・ブラウザーでウェブ・ページ・コンテンツの中から検索される語または文を選択」したものであるから、アプリケーション内の前記ユーザー操作により選択された部分といえ、該「検索語や文と一致している、ユーザーにより選択された検索サイトの検索結果ページ」は、選択された部分に対して行われた１つ以上のサービスにより提供される情報といえる。
　そして、引用例１記載の発明において「開かれたプレビュー・ブラウザー」が「検索サイトの検索結果ページを表示する」ことは、サービスにより提供される情報を含む、サービスのプレビューを表示するステップといえる。
　したがって、引用例１記載の発明において、「ユーザー」が、「検索プレビュー・メニュー中にリスト状に複数の検索サイト名が表示された中の所望の検索サイト名の上にカーソルを置」くと、「ユーザーにより選択された検索語や文と一致している、ユーザーにより選択された検索サイトの検索結果ページに接続」し、「開かれたプレビュー・ブラウザーは、」「検索サイトの検索結果ページを表示する」とされていることは、引用例１記載の発明が本願補正発明の「ウェブアクセス可能なサービスの前記メニューに関するユーザー操作に応答して、前記アプリケーション内の前記ユーザー操作により選択された部分に対して行われた１つ以上のサービスにより提供される情報を含む、サービスのプレビューを表示するステップ」に相当する構成を有するものであることを意味する。
　
え）引用例１記載の発明の方法は、「ネットワーク」に接続される「端末３３０」上で実行される方法であるから、コンピュータにより実行される方法といい得るものである。
　
お）一致点、相違点
　以上の対比結果によれば、本願補正発明と引用例１記載の発明とは、
　
（一致点）
「アプリケーションにインストールされるウェブアクセス可能なサービスのメニューを、前記アプリケーション内のユーザー操作に基づいて提示するステップであって、前記ウェブアクセス可能なサービスのメニューは、前記アプリケーション内の前記ユーザー操作により選択された部分に関連するサービスとして利用可能なサービスのリストを含み、前記サービスのうちの少なくとも１つはそれぞれのウェブサイトに対応する、ステップと、
　ウェブアクセス可能なサービスの前記メニューに関するユーザー操作に応答して、前記アプリケーション内の前記ユーザー操作により選択された部分に対して行われた１つ以上のサービスにより提供される情報を含む、サービスのプレビューを表示するステップと
を含むコンピューターにより実行される方法。」
　の点で一致し、次の点で相違する。
　
（相違点）
〈相違点１〉
　本願補正発明の「アプリケーションにインストールされるウェブアクセス可能なサービスのメニューを、前記アプリケーション内のユーザー操作に基づいて提示するステップであって」において提示される「ウェブアクセス可能なサービスのメニュー」は、「ユーザー操作により選択された部分に関連するサービスとして発見された」「利用可能な」サービスのリストを含むものとされているのに対して、引用例１記載の発明のそれに対応する「検索プレビュー・メニュー」は、「ユーザーにより選択された検索語や文」に関連する検索を行うための検索サイトをリスト状に表示したメニューではあるものの、「ユーザー操作により選択された部分に関連するサービスとして発見された」「利用可能な」サービスのリストを含むものとはされていない点。
　
〈相違点２〉
　本願補正発明の「アプリケーションにインストールされるウェブアクセス可能なサービスのメニューを、前記アプリケーション内のユーザー操作に基づいて提示するステップであって」において提示される「ウェブアクセス可能なサービスのメニュー」は、「異なる利用可能なサービスの種類のリスト」を含むのに対して、引用例１記載の発明のそれに対応する「検索プレビュー・メニュー」は、「異なる利用可能なサービスの種類のリスト」を含むものではなく「リスト状に複数の検索サイト名」を含むにすぎない点。
　
４．判断
〈相違点１〉について
　下の（１）〜（６）の事情を総合すると、引用吏１記載の発明が有することが明らかな「アプリケーションにインストールされるウェブアクセス可能なサービスのメニューを、前記アプリケーション内のユーザー操作に基づいて提示するステップ」に相当するステップ（以下、単に「提示するステップ」という。）において提示される「ウェブアクセス可能なサービスのメニュー」に相当するメニュー（検索プレビュー・メニュー）を、「ユーザー操作により選択された部分に関連するサービスとして発見された」「利用可能な」サービスのリストを含むものとすること、換言すれば、引用例１記載の発明において、上記相違点１に係る本願補正発明の構成を採用することは、当業者が容易に想到し得たことというべきである。
（１）上記相違点１に係る本願補正発明の構成である「アプリケーション内のユーザー操作に基づいて提示する『ウェブアクセス可能なサービスのメニュー』は、『ユーザー操作により選択された部分に関連するサービスとして発見された』『利用可能な』サービスのリストを含む」という構成の技術上の意味合いについて確認するに、これは、その文言と請求項１全体の文脈からみて、「アプリケーション内のユーザー操作に基づいて提示される『ウェブアクセス可能なサービスのメニュー』が、『アプリケーションにインストールされたサービスのメニュー項目の中から、ユーザー操作により選択された部分に関連し、利用可能なサービスであることが見出されたメニュー項目』を含む」といった程度の技術上の意味合いを有するものと解される。
（２）ところで、引用例１記載の発明が有することが明らかな上記提示するステップにおいて提示される「検索プレビュー・メニュー」は、ユーザー操作により選択された部分に関連するサービスをユーザーに提供するために提示するメニューであるから、そこに「アプリケーションにインストールされたサービスのメニュー項目の中から、ユーザー操作により選択された部分に関連し、利用可能なサービスであることが見出されたメニュー項目」を含ませるのが好ましいことは明らかである。
（３）一方、「アプリケーションで提示可能な複数のメニュー項目の中から、ユーザー操作により選択された部分に関連し、利用可能な項目であることが見出されたメニュー項目」をメニューとして提示する技術は、いわゆる「コンテキストメニュー」（請求人の製品であるWindows（登録商標）ではマウスの右クリックで表示されるメニューとして知られている。）として周知である。
（４）そして、上記（２）の事情に照らせば、上記（３）に示した周知の技術が引用例１記載の発明の上記提示するステップにおける「検索プレビュー・メニュー」の提示にあたっても有用かつ採用可能であることは、当業者に明らかである。
（５）上記（２）〜（４）によれば、引用例１記載の発明の上記提示するステップにおいて提示される「検索プレビュー・メニュー」を「アプリケーションにインストールされたサービスにメニュー項目の中から、ユーザー操作により選択された部分に関連し、利用可能なサービスであることが見出されたメニュー項目」を含むものとすることは、当業者が容易に推考し得たことである。
（６）上記（１）を前提とすれば、上記（５）のことは、引用例１記載の発明において、上記相違点１に係る本願補正発明の構成を採用することが、当業者にとって容易であったことを意味する。
　
　また、上記相違点１に係る本願補正発明の構成に基づく本願補正発明の効果に付いてみても、引用例１記載の発明に上記周知技術適用した場合に予想される効果を超えるものとは認められない。
　
〈相違点２〉について
　本願の明細書の発明の詳細な説明に、用語「ブログ」をユーザーが選択した場合、「検索サービス」「定義サービス」「調査サービス」「地図サービス」「ニュースサービス」「画像サービス」「翻訳サービス」を含む「リスト又はメニュー４００」が表示されることが記載されていること（図４および【００１８】〜【００２１】の記載。）を考慮すれば、本願補正発明のメニューが「異なる利用可能なサービスの種類のリスト」を含むとは、メニューが「検索サービス」「定義サービス」「調査サービス」「地図サービス」「ニュースサービス」「画像サービス」「翻訳サービス」等の複数種類のサービスのリストを含むことを意味すると認められる。
　ところで、本願の優先日前に、インターネットを通じて公衆に利用可能であった、著作権者ＰＳＬ、「ＰａｓＭｅｎｕ Ver0.21」の圧縮ファイル「Pasmenu021.zip」」（インターネット・アーカイブ＜ＵＲＬ：https://web.archive.org/web/20060208231909/http://download.seesaa.jp/contents/win/net/browser/13568/＞のＷｅｂページの「ファイル名：PasMenu  [ダウンロード]」に張られたリンク先である、＜https://web.archive.org/web/20060208231909/http://download.seesaa.jp/archive/win/net/browser/PasMenu021.zip＞より入手。）には、該圧縮ファイル「PasMenu021.zip」を解凍して得られる「Readme.txt」（以下、「周知例１」という。）に、テキストデータとして、「PasMenu（パスメニュー）は 便利サイト（検索、辞書、翻訳、地図、電話、  路線、株価など）のサービスをInternet Explorer（当審注：登録商標）のコンテキスト メニュー  （右クリック メニュー）から 利用できるようにするためのソフトウェアです。」と記載されるように、アプリケーションのコンテキストメニューから検索、辞書、翻訳、地図などの複数種類のサービスを利用可能とすることは、本願の優先日前周知技術である。
　そして、引用例１記載の発明が使用される場面を考慮すれば、引用例１記載の発明において上記周知技術が有用かつ採用可能であることは明らかである。
　してみると、引用例１記載の発明の「マウス右クリック・メニュー」中の「検索プレビュー・メニュー」を、「リスト状に複数の検索サイト名」を含んだものから「異なる利用可能なサービスの種類のリスト」を含むものに変え、本願補正発明の相違点２に係る構成とすることは、当業者が容易に推考し得たことというべきである。
　
　そして効果についてみても、引用例１記載の発明に対する上記周知技術の採用に伴って予測し得ない格別顕著なものが本願補正発明にあるとも認められない。
　
　以上のとおり、本願補正発明は、引用例１記載の発明及び上記各周知技術に基づいて、当業者が容易に発明をすることができたものであるから、特許法第２９条第２項の規定により特許出願の際独立して特許を受けることができないものである。
　
５．むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３．本願発明について
１．本願発明
　平成２５年６月１０日付の手続補正は上記のとおり却下されたので、本願の請求項１に係る発明（以下、「本願発明」という。）は、平成２５年１月２９日付手続補正書の特許請求の範囲の請求項１に記載された事項により特定される、以下のとおりのものである。
　「【請求項１】
　アプリケーションにインストールされるウェブアクセス可能なサービスのメニューを、前記アプリケーション内のユーザー操作に基づいて提示するステップであって、前記ウェブアクセス可能なサービスのメニューは、前記アプリケーション内の前記ユーザー操作により選択された部分に関連するサービスとして発見された利用可能なサービスのリストを含み、前記サービスのうちの少なくともいくつかはそれぞれのウェブサイトに対応する、ステップと、
　ウェブアクセス可能なサービスの前記メニューに関するユーザー操作に応答して、前記アプリケーション内の前記ユーザー操作により選択された部分に対して行われた１つ以上のサービスにより提供される情報を含む、サービスのプレビューを表示するステップと
を含むコンピューターにより実行される方法。」
　
２．引用例の記載、引用例１記載の発明
　原査定の拒絶の理由に引用された、引用例１は、上記「第２．」の「２．引用例の記載、引用例１記載の発明」に記載したとおりである。
　
３．対比・判断
　本願発明は、前記「第２．」で検討した本願補正発明から、「利用可能なサービスのリスト」が「異なる利用可能なサービスの種類のリスト」であるとする限定を省くと共に、「サービスのうちの少なくとも１つはそれぞれのウェブサイトに対応する」としたものを「サービスのうちの少なくともいくつかはそれぞれのウェブサイトに対応する」とするものである。
　そうすると、本願発明の構成要件をすべて含み、さらに他の構成要件を付加したものに相当する本願補正発明が、前記「第２．」「４．判断」に記載したとおり、引用例１記載の発明及び上記各周知技術に基づいて、当業者が容易に発明をすることができたものであるから、本願発明も同様の理由により、引用例１記載の発明及び上記各周知技術に基づいて、当業者が容易に発明をすることができたものである。
　
４．むすび
　以上のとおり、本願の請求項１に係る発明は、引用例１に記載された発明及び上記各周知技術に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。